(57)【要約】【課題】バックアップ用の情報等が目視又は光学読み取り可能なＩＣタグ及びＩＣタグの取り付け構造を提供する。【解決手段】文字及び／又は図柄を含む情報１３ａ，１３ｂを表示する情報表示層１３は、インレット１１と透明な貼り付け層１２との間に設けられ、情報表示層１３に表示された情報１３ａ，１３ｂは、貼り付け層１２を設けた側から目視又は光学読み取り可能とすることにより、ＩＣタグ１０に記録され、保持された情報のバックアップのためのバーコード等の情報等を目視でき、光学読み取りも可能となる。【選択図】図２
2006343432.tif 000002
【特許請求の範囲】
【請求項１】
識別対象物に直接又は間接的に取り付けられ、非接触情報通信を行うＩＣタグであって、
基材層にＩＣチップ及び前記ＩＣチップに接続されたアンテナが設けられたインレットと、
前記インレットの一方側に配置され、貼り付け対象物に貼り付け可能とする貼り付け層と、
前記インレットと前記貼り付け層との間に設けられ、文字及び／又は図柄を含む情報を表示する情報表示層と、
を備え、
前記情報表示層に表示された情報は、前記貼り付け層を設けた側から目視又は光学読み取り可能であること、
を特徴とするＩＣタグ。
【請求項２】
請求項１に記載のＩＣタグにおいて、
前記貼り付け層は、透明又は半透明であること、
を特徴とするＩＣタグ。
【請求項３】
請求項１又は請求項２に記載のＩＣタグにおいて、
前記貼り付け層は、前記情報表示層の情報が表示された領域以外の部分に形成されること、
を特徴とするＩＣタグ。
【請求項４】
請求項１から請求項３までのいずれか１項に記載のＩＣタグにおいて、
前記情報表示層よりも前記インレット側に、前記情報表示層の表示を視認しやすくする背景層を有すること、
を特徴とするＩＣタグ。
【請求項５】
請求項１から請求項４までのいずれか１項に記載のＩＣタグにおいて、
前記貼り付け層に剥離可能に仮貼付された剥離部材が設けられていること、
を特徴とするＩＣタグ。
【請求項６】
請求項５に記載のＩＣタグにおいて、
前記剥離部材は、透明又は半透明であること、
を特徴とするＩＣタグ。
【請求項７】
請求項１から請求項６までのいずれか１項に記載のＩＣタグにおいて、
前記貼り付け層に貼り付けられた透明又は半透明な透明保護部材を備えること、
を特徴とするＩＣタグ。
【請求項８】
請求項７に記載のＩＣタグにおいて、
前記透明保護部材は、その最表面側に剥離可能な表面保護層を備えること、
を特徴とするＩＣタグ。
【請求項９】
請求項１から請求項８までのいずれか１項に記載のＩＣタグにおいて、
前記情報表示層は、ユニークな情報が表示されること、
を特徴とするＩＣタグ。
【請求項１０】
請求項１から請求項９までのいずれか１項に記載のＩＣタグにおいて、
前記情報表示層は、外部エネルギーによる非接触な印字が可能な層であること、
を特徴とするＩＣタグ。
【請求項１１】
請求項１から請求項１０までのいずれか１項に記載のＩＣタグにおいて、
前記インレットの前記貼り付け層とは反対側に、前記インレットを保護する少なくとも１層の保護層を備えること、
を特徴とするＩＣタグ。
【請求項１２】
請求項１から請求項１１までのいずれか１項に記載のＩＣタグにおいて、
前記インレットの前記貼り付け層とは反対側に、前記インレットに加わる圧力を緩和する圧力緩和層が設けられていること、
を特徴とするＩＣタグ。
【請求項１３】
請求項１２に記載のＩＣタグにおいて、
前記圧力緩和層は、少なくとも自由状態の体積の１／１０の体積まで収縮可能であること、
を特徴とするＩＣタグ。
【請求項１４】
請求項１から請求項１３までのいずれか１項に記載のＩＣタグにおいて、
前記インレットは、防水加工が施されていること、
を特徴とするＩＣタグ。
【請求項１５】
請求項１４に記載のＩＣタグにおいて、
前記インレットは、少なくとも前記アンテナ及び前記ＩＣチップが防水層によって覆われていること、
を特徴とするＩＣタグ。
【請求項１６】
請求項１から請求項１５までのいずれか１項に記載のＩＣタグにおいて、
前記情報表示層の表面側には、少なくとも１層の紫外線吸収材を含む層が設けられていること、
を特徴とするＩＣタグ。
【請求項１７】
請求項１から請求項１６までのいずれか１項に記載のＩＣタグを前記識別対象物に取り付けるＩＣタグの取り付け構造であって、
前記ＩＣタグは、前記貼り付け層によって、前記情報表示層が目視又は光学読み取り可能であるように前記識別対象物に取り付けられていること、
を特徴とするＩＣタグの取り付け構造。
【請求項１８】
請求項１７に記載のＩＣタグの取り付け構造において、
前記識別対象物は、透明又は半透明であること、
を特徴とするＩＣタグの取り付け構造。
【請求項１９】
請求項１から請求項１６までのいずれか１項に記載のＩＣタグを前記識別対象物に取り付けるＩＣタグの取り付け構造であって、
前記識別対象物には、前記ＩＣタグを取り付ける取り付け部が設けられ、
前記ＩＣタグを前記取り付け部に固定する固定手段を備え、
前記ＩＣタグは、前記情報表示層が目視又は光学読み取り可能であるように前記固定手段により固定されること、
を特徴とするＩＣタグの取り付け構造。
【請求項２０】
請求項１９に記載のＩＣタグの取り付け構造において、
前記取り付け部は、前記ＩＣタグを収容可能な穴部であること、
を特徴とするＩＣタグの取り付け構造。
【請求項２１】
請求項２０に記載のＩＣタグの取り付け構造において、
前記ＩＣタグは、前記透明保護部材の表面と前記識別対象物の表面とが略一致するように埋め込まれること、
を特徴とするＩＣタグの取り付け構造。
【請求項２２】
請求項１９から請求項２１までのいずれか１項に記載のＩＣタグの取り付け構造において、
前記透明保護部材の位置を決める位置決め部を備えること、
を特徴とするＩＣタグの取り付け構造。
【発明の詳細な説明】
【技術分野】
【０００１】
本発明は、識別対象物に直接又は間接的に取り付けられ、非接触情報通信を行うＩＣタグ及びＩＣタグの取り付け構造に関するものである。
【背景技術】
【０００２】
従来、この種のＩＣタグは、情報を記録して保持するＩＣチップと、アンテナとを備えており、専用の読み取り機を用いて、無線通信により、非接触での情報の読み取りが可能である。また、ＩＣタグは、小型であり、保存できる情報量が大きく、単体ごとの認識が可能であることから、近年では、商品や製品等の工場での工程管理や、流通状況の管理等に利用されてきている。
このようなＩＣタグでは、ＩＣチップに保存された情報のバックアップのための情報や、ＩＣタグが導入されていない現場との互換性のためのバーコード等の光学読み取り可能な情報、目視可能な情報等の表示を行いたいという要請がある。例えば、特許文献１には、表示面を有するＩＣタグが開示されている。
【０００３】
近年、ＩＣタグの用途は、様々な分野に広がっており、例えば、輸送用のパレットやコンテナ、建築資材等の管理等、屋外の厳しい環境下で使用される例も増えてきている。
しかし、従来のＩＣタグは、商品や資材等の識別対象となる物品の表面に粘着材等により取り付けられる。よって、特許文献１のＩＣタグでは、流通等の過程において、ＩＣタグの表示面がこすれたり、長期間にわたる使用等により表示された情報が消えるという問題があった。また、ＩＣタグに、衝撃が加わる等してＩＣチップやアンテナが破損して保存されていた情報を読み取ることが不可能となるという問題があった。
【特許文献１】特開２００４−３７５７６号公報
【発明の開示】
【発明が解決しようとする課題】
【０００４】
本発明の課題は、バックアップ用の情報等が目視又は光学読み取り可能なＩＣタグ及びＩＣタグの取り付け構造を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、識別対象物（１００，３００，４００）に直接又は間接的に取り付けられ、非接触情報通信を行うＩＣタグであって、基材層（１）にＩＣチップ（３）及び前記ＩＣチップに接続されたアンテナ（２）が設けられたインレット（１１）と、前記インレットの一方側に配置され、貼り付け対象物（１４，４００）に貼り付け可能とする貼り付け層（１２）と、前記インレットと前記貼り付け層との間に設けられ、文字及び／又は図柄を含む情報を表示する情報表示層（１３）と、を備え、前記情報表示層に表示された情報（１３ａ，１３ｂ）は、前記貼り付け層を設けた側から目視又は光学読み取り可能であること、を特徴とするＩＣタグである。
請求項２の発明は、請求項１に記載のＩＣタグにおいて、前記貼り付け層（１２）は、透明又は半透明であること、を特徴とするＩＣタグである。
請求項３の発明は、請求項１又は請求項２に記載のＩＣタグにおいて、前記貼り付け層（１２）は、前記情報表示層（１３）の情報（１３ａ，１３ｂ）が表示された領域以外の部分に形成されること、を特徴とするＩＣタグである。
請求項４の発明は、請求項１から請求項３までのいずれか１項に記載のＩＣタグにおいて、前記情報表示層（１３）よりも前記インレット（１１）側に、前記情報表示層の表示を視認しやすくする背景層（１５）を有すること、を特徴とするＩＣタグである。
請求項５の発明は、請求項１から請求項４までのいずれか１項に記載のＩＣタグにおいて、前記貼り付け層（１２）に剥離可能に仮貼付された剥離部材（２１）が設けられていること、を特徴とするＩＣタグである。
請求項６の発明は、請求項５に記載のＩＣタグにおいて、前記剥離部材（２１）は、透明又は半透明であること、を特徴とするＩＣタグである。
請求項７の発明は、請求項１から請求項６までのいずれか１項に記載のＩＣタグにおいて、前記貼り付け層（１２）に貼り付けられた透明又は半透明な透明保護部材（１４）を備えること、を特徴とするＩＣタグである。
請求項８の発明は、請求項７に記載のＩＣタグにおいて、前記透明保護部材（１４）は、その最表面側に剥離可能な表面保護層を備えること、を特徴とするＩＣタグである。
請求項９の発明は、請求項１から請求項８までのいずれか１項に記載のＩＣタグにおいて、前記情報表示層（１３）は、ユニークな情報（１３ａ）が表示されること、を特徴とするＩＣタグである。
請求項１０の発明は、請求項１から請求項９までのいずれか１項に記載のＩＣタグにおいて、前記情報表示層（１３）は、外部エネルギーによる非接触な印字が可能な層であること、を特徴とするＩＣタグである。
請求項１１の発明は、請求項１から請求項１０までのいずれか１項に記載のＩＣタグにおいて、前記インレット（１１）の前記貼り付け層（１２）とは反対側に、前記インレットを保護する少なくとも１層の保護層（１８）を備えること、を特徴とするＩＣタグである。
請求項１２の発明は、請求項１から請求項１１までのいずれか１項に記載のＩＣタグにおいて、前記インレット（１１）の前記貼り付け層（１２）とは反対側に、前記インレットに加わる圧力を緩和する圧力緩和層（２０）が設けられていること、を特徴とするＩＣタグである。
請求項１３の発明は、請求項１２に記載のＩＣタグにおいて、前記圧力緩和層（２０）は、少なくとも自由状態の体積の１／１０の体積まで収縮可能であること、を特徴とするＩＣタグである。
請求項１４の発明は、請求項１から請求項１３までのいずれか１項に記載のＩＣタグにおいて、前記インレット（１１）は、防水加工が施されていること、を特徴とするＩＣタグである。
請求項１５の発明は、請求項１４に記載のＩＣタグにおいて、前記インレット（１１）は、少なくとも前記アンテナ（２）及び前記ＩＣチップ（３）が防水層によって覆われていること、を特徴とするＩＣタグである。
請求項１６の発明は、請求項１から請求項１５までのいずれか１項に記載のＩＣタグにおいて、前記情報表示層（１３）の表面側には、少なくとも１層の紫外線吸収材を含む層が設けられていること、を特徴とするＩＣタグである。
請求項１７の発明は、請求項１から請求項１６までのいずれか１項に記載のＩＣタグを前記識別対象物に取り付けるＩＣタグの取り付け構造であって、前記ＩＣタグ（１０）は、前記貼り付け層（１２）により前記情報表示層（１３）が目視又は光学読み取り可能であるように前記識別対象物（４００）に取り付けられること、を特徴とするＩＣタグの取り付け構造である。
請求項１８の発明は、請求項１７に記載のＩＣタグの取り付け構造において、前記識別対象物（４００）は、透明又は半透明であること、を特徴とするＩＣタグの取り付け構造である。
請求項１９の発明は、請求項１から請求項１６までのいずれか１項に記載のＩＣタグを前記識別対象物に取り付けるＩＣタグの取り付け構造であって、前記識別対象物（１００）には、前記ＩＣタグ（１０）を取り付ける取り付け部（１０１）が設けられ、前記ＩＣタグを前記取り付け部に固定する固定手段（１１０）を備え、前記ＩＣタグは、前記情報表示層（１３）が目視又は光学読み取り可能であるように前記固定手段により固定されること、を特徴とするＩＣタグの取り付け構造である。
請求項２０の発明は、請求項１９に記載のＩＣタグの取り付け構造において、前記取り付け部（１０１）は、前記ＩＣタグを収容可能な穴部（１０１）であること、を特徴とするＩＣタグの取り付け構造である。
請求項２１の発明は、請求項２０に記載のＩＣタグの取り付け構造において、前記ＩＣタグ（１０）は、前記透明保護部材（１４）の表面と前記識別対象物（１００）の表面とが略一致するように埋め込まれること、を特徴とするＩＣタグの取り付け構造である。
請求項２２の発明は、請求項１９から請求項２１までのいずれか１項に記載のＩＣタグの取り付け構造において、前記透明保護部材（１４）の位置を決める位置決め部（１０２）を備えること、を特徴とするＩＣタグの取り付け構造である。
【発明の効果】
【０００６】
本発明によれば、以下の効果を奏することができる。
（１）ＩＣタグは、インレットの一方側に配置され、貼り付け対象物に貼り付け可能とする貼り付け層と、インレットと貼り付け層との間に設けられ、文字及び／又は図柄を含む情報を表示する情報表示層とを備え、情報表示層に表示された情報は、貼り付け層を設けた側から目視又は光学読み取り可能であるので、透明な部材に貼り付けることによりＩＣタグに保存された情報をバックアップするためのバーコード等の情報や、目視により提供する必要のある情報等の表示を隠すことなく保護できる。
（２）貼り付け層は、透明又は半透明であるので、貼り付け機能を損なうことなく、情報表示層の情報を目視又は光学読み取り可能にでき、ＩＣタグに保存された情報をバックアップするためのバーコード等の情報や、目視により提供する必要のある情報等を表示できる。
（３）貼り付け層は、情報表示層の情報が表示された領域以外の部分に形成されるので、貼り付け層が透明でない場合にも、情報表示層の情報を目視又は光学読み取り可能である。
（４）背景層は、情報表示層よりもインレット側に設けられ、情報表示層の表示を視認しやすくするので、情報表示層の表示が読み取り難い色、形状等である場合にも、目視により視認しやすくでき、光学読み取りも行いやすい。
（５）剥離部材は、貼り付け層に剥離可能に仮貼付されているので、ラベルとして提供でき、作業しやすい。
（６）剥離部材は、透明又は半透明であるので、剥離部材を剥がすことなく、剥離部材を介して情報表示層の表示を目視することができ、光学読み取りも可能である。
（７）透明保護部材は、貼り付け層に貼り付けられ、透明又は半透明であるので、透明保護部材を介して情報表示層の表示を目視することができ、光学読み取りも可能である。また、透明保護部材は、インレットに局所的に加わる強い外力からインレットを保護できる。
（８）透明保護部材は、その最表面側に剥離可能な表面保護層を備えるので、透明保護部材の表面が、作業工程等で汚れたり傷ついたりすることを防止できる。
（９）情報表示層は、ユニークな情報が表示されるので、ＩＣタグが取り付けられた識別対象物単体に固有の情報を表示することができ、バックアップ情報として有効に利用できる。
（１０）情報表示層は、外部エネルギーによる非接触な印字が可能な層であるので、情報表示層と印字手段との間に剥離部材、貼り付け層等が在っても、印字できる。よって、剥離部材を貼り付け層に仮貼付した状態で印字できる。
（１１）保護層は、インレットの貼り付け層とは反対側に少なくとも１層設けられ、インレットを保護する機能を有するので、貼り付け層により透明な部材等に貼り付けられた状態で、インレットの貼り付け層とは反対側から加わる外力等からインレットを保護できる。
（１２）圧力緩和層は、インレットの貼り付け層とは反対側に設けられ、インレットに加わる圧力を緩和するので、インレットに圧力がかかり、インレットが破損することを防止できる。
（１３）圧力緩和層は、少なくとも自由状態の体積の１／１０の体積まで収縮可能であるので、インレットにかかる圧力を十分吸収することができる。
（１４）インレットは、防水加工が施されているので、水に濡れる等により短絡してＩＣチップが破損することを防げる。
（１５）インレットは、少なくともアンテナ及びＩＣチップが防水層によって覆われているので、水に濡れる等により短絡してＩＣチップが破損することを防げる。
（１６）情報表示層の表面側には、少なくとも１層の紫外線吸収材を含む層が設けられているので、紫外線により情報表示層の表示が退色することを防止できる。従って、ＩＣタグが破損した場合等に必要となるバックアップのための情報等を長期間表示できる。
（１７）インレットの一方側に配置され、貼り付け対象物に貼り付け可能とする貼り付け層と、インレットと貼り付け層との間に設けられ、文字及び／又は図柄を含む情報を表示する情報表示層とを備え、情報表示層に表示された情報は、貼り付け層を設けた側から目視又は光学読み取り可能であるように識別対象物に取り付けられているＩＣタグの取り付け構造であるので、透明な部材に貼り付けることによりＩＣタグに保存された情報をバックアップするためのバーコード等の情報や、目視により提供する必要のある情報等の表示を隠すことなく保護できる。
（１８）識別対象物は、透明又は半透明であるので、識別対象物の内側にＩＣタグを貼り付けた場合にも、情報表示層の表示を目視又は光学読み取り可能である。従って、目視又は光学読み取り可能な情報を提供しつつ、識別対象物の内側に貼付することによりＩＣタグを保護することができる。
（１９）識別対象物には、ＩＣタグを取り付ける取り付け部が設けられ、ＩＣタグを前記取り付け部に固定する固定手段を備え、ＩＣタグは、情報表示層が目視又は光学読み取り可能であるように固定手段により固定されるので、ＩＣタグを確実に固定できる。
（２０）取り付け部は、ＩＣタグを収容可能な穴部であるので、ＩＣタグを外力から保護することができ、より確実に固定できる。
（２１）ＩＣタグは、透明保護部材の表面と識別対象物の表面とが略一致するように埋め込まれるので、外力を受け難く、ＩＣタグの信頼性を高めることができる。また、仕上がりもきれいである。
（２２）位置決め部は、透明保護部材の位置を決めるので、ＩＣタグの取り付けが容易になり、作業効率の向上を図ることができる。また、仕上がりもきれいである。
【発明を実施するための最良の形態】
【０００７】
本発明は、バックアップ用の情報等が目視又は光学読み取り可能なＩＣタグ及びＩＣタグの取り付け構造を提供するという目的を、インレットと貼り付け層との間に設けられ、文字及び／又は図柄を含む情報を表示する情報表示層を備え、情報表示層に表示された情報は、貼り付け層を設けた側から目視又は光学読み取り可能とすることにより実現した。
【実施例１】
【０００８】
図１は、本発明によるＩＣタグの実施例１を説明する図である。
図２は、実施例１のＩＣタグ及びＩＣタグの取り付け構造を説明する図である。図２（ａ）は、コンクリートブロックに取り付けられたＩＣタグの平面図であり、図２（ｂ）は、図２（ａ）の矢印ＡＡで切断した断面を模式的に示した図である。
本実施例のＩＣタグ１０は、コンクリートブロック１００に設けられた取り付け穴部１０１に収容されており、ＩＣタグ１０の表面は、コンクリートブロック１００の表面と略同一面となっている。このＩＣタグ１０は、接着剤１１０によりコンクリートブロック１００に固定され、取り付けられている。なお、本実施例では、図２に示すように、ＩＣタグ１０は、接着剤１１０を、取り付け穴部１０１と後述する透明保護部材１４との間に塗布し、固定する例を示しているが、これに限らず、ＩＣタグ１０と取り付け穴部１０１との間に、接着剤１１０を充填して固定してもよい。
ＩＣタグ１０は、インレット１１、貼り付け層１２、情報表示層１３、透明保護部材１４等を備えている。
【０００９】
ここで、ＩＣタグについて説明する。
ＩＣタグは、非接触通信に使用する周波数帯により以下の４種類に大別することができる。
（１）１２５ｋＨｚ〜１３５ｋＨｚ帯
この周波数帯のＩＣタグは、主にＦＡ（Ｆａｃｔｏｒｙ  Ａｕｔｏｍａｔｉｏｎ）分野等で利用されており、最も歴史のあるＲＦＩＤ（Ｒａｄｉｏ  Ｆｒｅｑｕｅｎｃｙ  Ｉｄｅｎｔｉｆｉｃａｔｉｏｎ）システムである。
通信方式：電磁誘導
タグ形状：心棒状に巻いたコイルアンテナ、コイル巻き数：数１０ターン
通信距離：最大１ｍ程度
（２）１３．５６ＭＨｚ帯
この周波数帯のＩＣタグは、現在、最も幅広く利用されている。
通信方式：電磁誘導
タグ形状：アンテナコイル、コイル巻き数：３〜１０ターン程度
通信距離：最大７０ｃｍ程度
（３）８６０ＭＨｚ〜９６０ＭＨｚ帯（ＵＨＦ帯）
この周波数帯のＩＣタグは、欧米の大手流通企業で採用され、急速に注目度が高まっている。
通信方式：マイクロ波方式
タグ形状：ダイポールアンテナ（アンテナ長：約１６ｃｍ）
変形ダイポール（アンテナ長：５〜１０ｃｍ程度）
パッチアンテナ（アンテナ長：５〜１０ｃｍ程度）
通信距離：最大１０ｍ程度
（４）２．４５ＧＨｚ帯
この周波数帯のＩＣタグは、比較的通信距離が長いため、コンテナ管理等に使われている。
通信方式：マイクロ波方式
タグ形状：ダイポール（アンテナ長：約６ｃｍ）
通信距離：最大２ｍ程度
本実施例は、１３．５６ＭＨｚの周波数帯を使用し、３〜１０ターン程度のアンテナコイルを有したＩＣタグを例として説明するが、上述の４種のいずれのＩＣタグであってもよく、これら以外の通信周波数を用いるＩＣタグでもよい。
【００１０】
図３は、本実施例のＩＣタグに用いられるインレットを説明する図である。図３（ａ）は、インレットの平面図であり、図３（ｂ）は、インレットの断面を模式的に示した図である。
インレット１１は、ベースフィルム１に、エッチング等により形成されたアンテナコイル２と、アンテナコイル２の両端部２ａ，２ｂが接続されたＩＣチップ３とを備えている。ベースフィルム１は、ポリエチレンテレフタレート等により形成された、薄いシート状の部材である。アンテナコイル２は、アルミニウム等により形成されている。
【００１１】
図２に戻って、貼り付け層１２は、インレット１１の一方側に配置され、後述の透明保護部材１４に貼り付け可能とする層である。この貼り付け層１２は、透明又は半透明であり、ポリアクリル酸エステル、ゴム系粘着剤、シリコーン粘着剤等の接着剤により形成されている。
透明保護部材１４は、透明なポリカーボネートにより形成された板状の部材であり、インレット１１を保護する役割を有している。本実施例の透明保護部材１４は、ポリカーボネート樹脂であるポリカエース（筒中プラスチック工業株式会社製）により形成された厚さ２．０ｍｍの板を使用している。これは、外力を受けた場合に、インレット１１の破壊を防ぐために必要な強度を確保し、かつ、情報表示層１３に表示された情報を目視又は光学読み取り可能とするために透明又は半透明とすることができる材料として選択したものである。
【００１２】
透明保護部材１４に用いたポリカエースは、曲げ強さ９３．１ＭＰａ、曲げ弾性率２３５０ＭＰａ、アイゾット衝撃強さ７８０Ｊ／ｍという高い強度を有し、また、全光線透過率８９％という高い透明度を有している。
なお、透明保護部材１４には、高い剛性、及び、高い耐衝撃性を有し、かつ、透明又は半透明であれば、例えば、同じポリカーボネート樹脂であるステラ（三菱樹脂株式会社製）を用いてもよいし、ポリカーボネート樹脂以外の素材を用いることも可能である。例えば、アクリル樹脂（曲げ強さ１０８〜１１８ＭＰａ、曲げ弾性率２９４０〜３０４０ＭＰａ、アイゾット衝撃強さ１９．６〜２９．４Ｊ／ｍ、全光線透過率９２％）を用いてもよいし、用途によっては、強化ガラスを用いてもよい。
【００１３】
情報表示層１３は、インレット１１と貼り付け層１２との間に設けられ、製造番号、有効期限、会社名等の文字や記号、ロゴマーク等の図柄、バーコード等の専用の読み取り機で光学読み取りする図柄等の情報を表示する層である。情報表示層１３が表示する情報１３ａ，１３ｂのうち、情報１３ａは、このＩＣタグが取り付けられるコンクリートブロック１００の製造番号等、識別対象物の単体にユニークな（固有な）情報である。この情報１３ａの形成方法については、後述する。
背景層１５は、情報表示層１３よりも裏側（インレット１１側）に設けられ、粘着層１６を介してインレット１１に接合されている。この背景層１５は、情報表示層１３の表示を視認しやすくする層である。本実施例では、背景層１５は、不透明な白色のシート状の部材を用いているが、情報表示層１３の情報表示を視認しやすくするために、適宜その色を変えてもよいし、また、背景として図柄を設けてもよい。
【００１４】
保護層１８は、粘着層１７により、インレット１１の裏面側（貼り付け層１２とは反対側）に接合され、インレット１１を保護する層である。この保護層１８は、ポリエチレン、ポリプロピレン等のシート状又はフィルム状の部材が用いられている。
圧力緩和層２０は、保護層１８の裏面側（貼り付け層１２とは反対側）に、粘着層１９を介して接合されており、インレット１１に加わる圧力を緩和する。
本実施例の圧力緩和層２０は、厚さ２．０ｍｍの軟質ウレタンであるピーチウレタン（日清紡績株式会社製）を使用している。このピーチウレタンを使用した理由としては、外力が加わったときに、圧力緩和層２０が弾性変形をすることにより、インレット１１に加わる圧力を下げる効果を得るためであり、その観点から、優れた緩衝性を有した素材として選択したものである。本実施例の圧力緩和層２０は、自由状態での体積の１０％以下の体積まで収縮可能であり、インレット１１に高い圧力が加わることを防ぎ、インレット１１の破損を未然に防ぐことができる。
なお、圧力緩和層２０には、優れた緩衝性（反発弾性率２０％未満）を有していれば、軟質ウレタン以外の素材を用いてもよい。例えば、ゴム、各種発泡体等を用いることができる。
図２では、模式的に示したため、ＩＣタグ１０の端部は切断されたような形状で示してあるが、実際にはその両端は、粘着層１６によりベースフィルム１と背景層１５とが接合されている。
【００１５】
上述した透明保護部材１４及び圧力緩和層２０は、いずれもインレット１１を保護する作用を有しているが、その要求される物性値は相反するものとなっている。このような組合せとしている理由を以下に説明する。
まず、透明保護部材１４は、ＩＣタグ１０の最表面側に設けられていることから、通常考えられる外力は、この透明保護部材１４に加わることになる。そして、この透明保護部材１４は、局所的な強い外力が加わったときに、インレット１１の一部に外力が集中して作用することを防ぐために設けられている。例えば、先端の尖った棒のようなもので突かれた場合に、その外力をインレット１１の全体に分散させる役割を果たしている。外力が分散して加わるので、例えば最も破損しやすいＩＣチップ３に加わる力も確実に小さくすることができ、インレット１１の機能を保つことができる。
【００１６】
一方、圧力緩和層２０は、透明保護部材１４に非常に強い外力が作用したときに、透明保護部材１４と識別対象物であるコンクリートブロック１００との間にインレット１１が挟まれて強い圧力を受けることを防止する役割を果たしている。先に述べたように、圧力緩和層２０は、優れた緩衝性を有していることから、透明保護部材１４に非常に強い外力が作用したときに、弾性変形をしてインレット１１に強い圧力が作用することを防止できる。
【００１７】
このように、最表面側に透明保護部材１４を設け、インレット１１と識別対象物であるコンクリートブロック１００との間に圧力緩和層２０を設けた層構成としたことにより、本実施例のＩＣタグ１０は、局所的な強い外力が作用する場合、及び、全体として非常に強い外力が作用する場合のいずれの場合にあっても、インレット１１が破損してしまうことを回避でき、過酷な使用環境下にあっても、高い信頼性を確保できる。
【００１８】
本実施例によれば、透明保護部材１４、貼り付け層１２は透明であるので、情報表示層１３に表示された情報１３ａ，１３ｂを、透明保護部材１４の表面側から目視できる。よって、情報表示層１３に表示されたバーコード等についても、専用の読み取り機等を用いて光学読み取り可能である。
さらに、本実施例によれば、透明保護部材１４及び圧力緩和層２０により、透明保護部材１４側から強い外力が加わった場合にも、ＩＣチップ３等が破損することを防止できる。
【００１９】
（情報表示層の情報の形成方法）
図４は、情報表示層に情報を表示する工程を模式的に示した図である。図４（ａ）は、側面図であり、図４（ｂ）は、斜視図である。
ＩＣタグ１０Ｕは、情報表示層１３に情報１３ａが形成される以前の状態である。なお、情報１３ｂは、予め、情報表示層１３に形成されている。
このＩＣタグ１０Ｕには、セパレータ２１が仮貼付され、ロール状に巻き取られている。セパレータ２１は、貼り付け層１２に剥離可能に仮貼付された透明な剥離部材である。本実施例では、セパレータ２１は、透明な剥離部材であるとしたが、半透明のものを用いてもよい。
【００２０】
プリンタ２００は、ＩＣタグ１０Ｕに、情報１３ａを形成するプリンタであり、情報表示層１３に、セパレータ２１を介して非接触で情報１３ａを形成することができる。本実施例では、プリンタ２００は、レーザービームにより印字を行うが、外部エネルギーを用い、セパレータ２１を介して情報表示層１３に非接触で情報を印字できるものであれば、特に限定しない。例えば、感圧方式や感熱方式のプリンタ等を用いることができる。
【００２１】
セパレータ２１は、透明であるので、セパレータ２１からＩＣタグ１０Ｕを剥離することなく、情報表示層１３に形成された情報１３ａ，１３ｂを、目視又は光学読み取りにより確認することができる。従って、プリンタ２００により印字した情報１３ａの正誤や、ＩＣタグを取り付ける際の情報の確認が容易に行える。
【００２２】
（ＩＣタグの提供形態と取り付け工程）
ＩＣタグの提供形態として、（Ａ）セパレータ２１に仮貼付され、透明保護部材１４及び圧力緩和層２０が積層されていないＩＣタグ１０Ａと、（Ｂ）セパレータ２１に仮貼付され、圧力緩和層２０は積層されているが、透明保護部材１４は別部材であるＩＣタグ１０Ｂと、（Ｃ）透明保護部材１４及び圧力緩和層２０を積層しているＩＣタグ１０Ｃの３通りがある。
以下、各提供形態ごとに、ＩＣタグ１０の取り付け工程を説明する。
【００２３】
（ＩＣタグの提供形態Ａ）
図５は、本実施例のＩＣタグの取り付け工程の一例を模式的に示す図である。
図５に示すＩＣタグ１０Ａは、前述のＩＣタグ１０において、透明保護部材１４及び圧力緩和層２０を備えていない状態で提供されるものであり、貼り付け層１２によりセパレータ２１に仮貼付され、ロール状に巻き取られている。
なお、説明のために、図５及び後述の図６では、ＩＣタグ１０Ａ及びＩＣタグ１０Ｂを誇張して拡大して示しているが、実際には薄く、巻き取りに支障はない。
作業者は、この提供形態のＩＣタグ１０Ａを、セパレータ２１から剥がして、貼り付け層１２に透明保護部材１４を貼付する。コンクリートブロック１００の取り付け穴部１０１の開口部と対向する底部に圧力緩和層２０を敷き、粘着層１９を保護層１８に形成してＩＣタグ１０Ａを取り付け穴部１０１に収容する。このとき、粘着層１９により、保護層１８は、圧力緩和層２０と接合される。
次に、作業者は、図２（ｂ）に示すように、透明保護部材１４と取り付け穴部１０１との間に接着剤１１０等を塗布して取り付け穴部１０１を封止し、透明保護部材１４とＩＣタグ１０Ａと圧力緩和層２０とを取り付け穴部１０１に固定する。
【００２４】
この提供形態による取り付け工程では、接着剤１１０を透明保護部材１４と取り付け穴部１０１との間に塗布する例を示したが、これに限らず、取り付け穴部１０１とＩＣタグ１０Ａとの間に充填してもよい。また、この提供形態では、取り付け工程において、粘着層１９を保護層１８に形成し、圧力緩和層２０と保護層１８とを接合する例を示したが、粘着層１９は適宜省略してもよい。
【００２５】
このようなＩＣタグの提供形態とすることにより、ＩＣタグを取り付けたいコンクリートブロック１００が設置される環境や使用期間等に応じて、作業者が、透明保護部材１４及び圧力緩和層２０に用いる部材として最適なものを、適宜選択することができる。
また、圧力緩和層２０として、シート状のものに限らず、取り付け穴部１０１に充填する樹脂等を用いることができる。
【００２６】
（ＩＣタグの提供形態Ｂ）
図６は、本実施例のＩＣタグの取り付け工程の一例を模式的に示す図である。
図６に示すＩＣタグ１０Ｂは、前述のＩＣタグ１０において、透明保護部材１４のみを備えていない状態で提供されるものであり、貼り付け層１２によりセパレータ２１に仮貼付された状態で巻き取られている。
作業者は、この提供形態のＩＣタグ１０Ｂをセパレータ２１から剥がし、透明保護部材１４を貼り付け層１２に貼付して、コンクリートブロック１００に設けられた取り付け穴部１０１に収容する。透明保護部材１４と取り付け穴部１０１との間に接着剤１１０を塗布して取り付け穴部１０１を封止し、透明保護部材１４とＩＣタグ１０Ｂとを取り付け穴部１０１に固定する。
このようなＩＣタグの提供形態とすることにより、図５に示す取り付け工程に比べ、作業者が、ＩＣタグを取り付ける作業現場へ持ち込む部材数を減らすことができ、作業時間の短縮も図ることができる。
【００２７】
図７は、本実施例のＩＣタグの取り付け工程の一例を模式的に示す図である。
図７に示すＩＣタグ１０Ｃは、予め、透明保護部材１４が貼り付け層１２に貼付された状態で提供されるものである。作業者は、この状態のＩＣタグ１０Ｃを、取り付け穴部１０１に収容し、透明保護部材１４と取り付け穴部１０１との間に接着剤１１０を塗布して取り付け穴部１０１を封止し、ＩＣタグ１０Ｃを取り付け穴部１０１に固定する。
このようなＩＣタグの提供形態とすることにより、作業者は、ＩＣタグ１０Ｃと接着剤１１０のみを作業現場に持ち込めばよく、作業時間を大幅に短縮し、作業効率を向上させることができる。
【００２８】
本実施例では、以上に示すような取り付け工程の例の中から、作業のしやすさや、部材の入手状況等から、適宜、最適な工程を選択することができる。
【実施例２】
【００２９】
図８は、本発明によるＩＣタグ及びＩＣタグの取り付け構造の実施例２を説明する図である。図８（ａ）は、ＩＣタグの取り付け部分の拡大図であり、図８（ｂ）は、図８（ａ）の矢印ＢＢで切断した断面を模式的に示す図である。
なお、本実施例を含め、以下に示す各実施例において、実施例１と同様の機能を果たす部分には、同一の符号を付して、重複する説明を適宜省略する。
本実施例では、実施例１と同様に、ＩＣタグ１０をコンクリートブロック１００に設けられた取り付け穴部１０１に収容し、接着剤１１０により封止されるが、本実施例では、取り付け穴部１０１の開口部に、さらに、透明保護部材１４の位置を決める透明保護部材受け部１０２が形成されている。
この透明保護部材受け部１０２を設けることにより、透明保護部材１４の位置を容易に決めることができ、ＩＣタグ１０の取り付け作業を簡単にしながらも、透明保護部材１４とコンクリートブロック１００との表面を同一面として仕上がりも美しくできる。
【実施例３】
【００３０】
図９は、本発明によるＩＣタグ及びＩＣタグの取り付け構造の実施例３を説明する図である。図９（ａ）は、ＩＣタグが取り付けられている部分の拡大図であり、図９（ｂ）は、図９（ａ）の矢印ＣＣで切断した断面を模式的に示す図である。
なお、図９において、ＩＣタグ１０は、説明のために、誇張して示されているが、実際は薄く、使用する際に支障はない。
本実施例では、ＩＣタグ１０は、実施例１と同様にコンクリートブロック３００に取り付けられているが、コンクリートブロック３００には、取り付け穴部１０１が形成されていない点で、実施例１とは異なる。
本実施例のＩＣタグ１０は、コンクリートブロック３００の表面に取り付けられ、接着剤１１０により、ＩＣタグ１０の縁部分を封止することにより、コンクリートブロック３００に固定されている。
本実施例によれば、ＩＣタグ１０を取り付けたいコンクリートブロック３００等に、取り付け穴部１０１を設けることが困難な場合にも、目視又は光学読み取り可能な情報を備えたＩＣタグ１０を取り付けることができる。
また、実施例１及び実施例２に比べて、外力を受けやすい取り付け構造となっているものの、透明保護部材１４及び圧力緩和層２０を備えているので、ＩＣタグ１０に加わる衝撃の外力等から、十分にインレット１１を保護できる。
【実施例４】
【００３１】
図１０は、本発明によるＩＣタグ及びＩＣタグの取り付け構造の実施例４を説明する図である。図１０（ａ）は、ＩＣタグが取り付けられている状態の斜視図であり、図１０（ｂ）は、図１０（ａ）の矢印ＤＤで切断した断面を模式的に示した図である。
本実施例では、ＩＣタグ１０Ａは、透明又は半透明のプラスチックカップ４００に取り付けられている。なお、本実施例では、プラスチックカップ４００を一例として示すが、透明又は半透明なものであれば、特に限定しない。
【００３２】
ＩＣタグ１０Ａは、実施例１中に示した図５に示すように、透明保護部材１４及び圧力緩和層２０が積層されていない状態で、貼り付け層１２により、セパレータ２１に仮貼付されている。
このＩＣタグ１０Ａは、セパレータ２１から剥がし、貼り付け層１２により、図１０（ｂ）に示すように、プラスチックカップ４００の内側から貼付することにより、識別対象物であるプラスチックカップ４００に取り付けられている。
【００３３】
よって、本実施例によれば、プラスチックカップ４００のような透明な識別対象物に対して、その内側からＩＣタグ１０Ａを貼付することができるので、ＩＣタグ１０Ａをプラスチックカップ４００の外周からの衝撃等から保護することができ、また、バックアップのための情報等を目視でき、バーコード等の光学読み取りも可能である。
また、粘着層１６によりベースフィルム１と背景層１５とは接合されているので、インレット１１は防水構造となっている。よって、このプラスチックカップ４００に水等の液体を入れて使用できる。
【００３４】
（変形例）
以上説明した実施例に限定されることなく、種々の変形や変更が可能であって、それらも本発明の均等の範囲内である。
（１）実施例１から実施例３において、ＩＣタグは、コンクリートブロックに取り付けられる例を示したが、これに限らず、例えば、輸送用パレット、コンテナ、建築資材、各種製品等に取り付けてもよく、特に限定しない。
【００３５】
（２）各実施例において、情報表示層が表示する情報は、書き換え不可能である例を示したが、これに限らず、例えば、専用のプリンタ等を用いて容易に書き換え可能な情報としてもよい。
【００３６】
（３）各実施例において、ＩＣタグは、１３．５６ＭＨｚの周波数帯を使用し、３〜１０ターン程度のアンテナコイルを有したＩＣタグの例を示したが、ＩＣタグとして使用する周波数帯や通信方式、その形状等は特に限定しない。
【００３７】
（４）各実施例において、ＩＣタグは、粘着層によりベースフィルムと背景層とが接合される例を示したが、これに限らず、例えば、インレットのＩＣチップ及びアンテナコイルが形成された面、又は、インレット全体を、防水層として防水フィルムで覆う等により、防水効果を高めてもよい。
【００３８】
（５）各実施例において、貼り付け層は、インレットの全体を覆うように形成される例を示したが、これに限らず、例えば、情報表示層の情報が表示された領域以外の部分に形成してもよい。このように貼り付け層を形成することにより、貼り付け層が不透明である場合にも、情報表示層の情報は目視又は光学読み取り可能とすることができる。
【００３９】
（６）実施例１から実施例３において、透明保護部材がＩＣタグの最表面となる例を示したが、これに限らず、透明保護部材の最表面側に剥離可能な表面保護層を備えてもよい。表面保護層は、ＩＣタグの取り付け完了後に剥離することにより、ＩＣタグの取り付け作業等で、透明保護部材の表面が汚れたり、傷ついたりすることを防止できる。
【００４０】
（７）実施例１又は実施例２において、ＩＣタグは、圧力緩和層を有する例を示したが、これに限らず、ＩＣタグと取り付け穴部との空間に緩衝性のある接着剤を充填して圧力緩和層を省略して部材数を減らし、作業効率の向上や生産コストの低減を図ってもよい。
【００４１】
（８）実施例１又は実施例２において、圧力緩和層は取り付け穴部の底面と接している例を示したが、これに限らず、圧力緩和層と取り付け穴部の底面との間に空間が存在していてもよい。
【００４２】
（９）実施例１から実施例３において、ＩＣタグを固定する固定手段として、接着剤を用いる例を示したが、これに限らず、例えば、コンクリート材、ゴムパッキン、ビス等を用いてもよく、特に限定しない。
【００４３】
（１０）各実施例において、情報表示層よりも表面側のいずれかの層に、紫外線吸収材を含む層を少なくとも１層設けて、紫外線による表示の退色防止を図ってもよい。紫外線吸収材は、透明保護部材や貼り付け層に混合してもよいし、紫外線吸収材を含む透明又は半透明な層を、情報表示層よりも表面側に積層してもよい。
【図面の簡単な説明】
【００４４】
【図１】本発明によるＩＣタグの実施例１を説明する図である。
【図２】実施例１のＩＣタグ及びＩＣタグの取り付け構造を説明する図である。
【図３】本実施例のＩＣタグに用いられるインレットを説明する図である。
【図４】情報表示層に情報を表示する工程を模式的に示した図である。
【図５】本実施例のＩＣタグの取り付け工程の一例を模式的に示す図である。
【図６】本実施例のＩＣタグの取り付け工程の一例を模式的に示す図である。
【図７】本実施例のＩＣタグの取り付け工程の一例を模式的に示す図である。
【図８】本発明によるＩＣタグ及びＩＣタグの取り付け構造の実施例２を説明する図である。
【図９】本発明によるＩＣタグ及びＩＣタグの取り付け構造の実施例３を説明する図である。
【図１０】本発明によるＩＣタグ及びＩＣタグの取り付け構造の実施例４を説明する図である。
【符号の説明】
【００４５】
１    ベースフィルム
２    アンテナコイル
３    ＩＣチップ
１０    ＩＣタグ
１１    インレット
１２    貼り付け層
１３    情報表示層
１４    透明保護部材
１５    背景層
１６，１７，１９    粘着層
１８    保護層
２０    圧力緩和層
２１    セパレータ
１００，３００    コンクリートブロック
１０１    取り付け穴部
１０２    透明保護部材受け部
１１０    接着剤
２００    プリンタ
４００    プラスチックカップ
【図１】
2006343432.tif 000003
【図２】
2006343432.tif 000004
【図３】
2006343432.tif 000005
【図４】
2006343432.tif 000006
【図５】
2006343432.tif 000007
【図６】
2006343432.tif 000008
【図７】
2006343432.tif 000009
【図８】
2006343432.tif 000010
【図９】
2006343432.tif 000011
【図１０】
2006343432.tif 000012